(57)【要約】 【課題】  光ピックアップ装置に搭載されたレーザ素子や光学部品は、搭載される際の位置誤差を少なからず有する。これら位置誤差の影響によって発生する光ピックアップ装置としての問題点、すなわち、対物レンズ出射時の光強度分布ずれや、光記録媒体からの反射光を光検出手段の所定個所に導けないという問題点を解決する。【解決手段】  特殊な形状のレーザホルダ等を用いず、レーザ光源の光強度分布中心軸を第二集光素子の光学的中心軸とおおよそ一致するように傾け、かつ、前記第二集光素子を、前記光記録媒体の半径方向へ微動させて配置したことにある。【選択図】  図１
2006344292.tif 000002
【特許請求の範囲】
【請求項１】
光を出射するためのレーザ素子を筐体内に設けたレーザ光源と、前記レーザ素子から出射された光を略平行な光束とする第一の集光素子と、前記第一の集光素子を通過した略平行な光束を光記録媒体の記録面に集光する第二の集光素子と、前記記録面で反射された反射光が通過し、光路を変更する光学素子と、光学素子を通過した反射光を受光して光を電気信号に変換する信号検出手段とを備えた光ピックアップ装置において、
前記レーザ光源は、前記レーザ素子の発光点と前記第一の集光素子の中心点を結ぶ中心軸に対して傾いて配置されており、前記第二の集光素子は、その中心点が前記中心軸に対して垂直方向へずれて配置されていることを特徴とする光ピックアップ装置。
【請求項２】
光を出射するためのレーザ素子を筐体内に設けたレーザ光源と、前記レーザ素子から出射された光の経路を変更する反射光学素子と、前記レーザ素子から出射された光を略平行な光束とする第一の集光素子と、前記第一の集光素子を通過した略平行な光束を光記録媒体の記録面に集光する第二の集光素子と、前記記録面で反射された反射光が通過し、光路を変更する光学素子と、光学素子を通過した反射光を受光して光を電気信号に変換する信号検出手段とを備えた光ピックアップ装置において、
前記レーザ光源は、前記レーザ素子の発光点と前記反射光学素子の中心点を結ぶ第一の軸に対して傾いて配置されており、前記第二の集光素子の中心点は前記反射光学素子の中心点と前記第一の集光素子の中心点を結ぶ第二の軸に対して垂直方向へずれて配置されていることを特徴とする光ピックアップ装置。
【請求項３】
前記レーザ光源は、筐体に前記光学素子と前記信号検出手段を有し、一つの部品として構成されていることを特徴とする請求項１または請求項２に記載の光ピックアップ装置。
【請求項４】
前記レーザ光源を傾けて配置するために、前記レーザ光源と光ピックアップ装置の筐体との取り付け部分に、薄板を挿入して前記レーザ光源を保持したことを特徴とする請求項１から請求項３のいずれかに記載の光ピックアップ装置。
【請求項５】
前記レーザ光源は、このレーザ光源に搭載された際の前記レーザ素子の光軸の傾きを補正するために、前記中心軸または前記第一の軸に対して傾いて配置されていることを特徴とする請求項１から請求項４のいずれかに記載の光ピックアップ装置。
【請求項６】
前記第二の集光素子は、前記レーザ光源に搭載された際に発生した前記光学素子の前記反射光光軸に対するずれを補正するために、前記中心軸または前記第二の軸に対して垂直方向へずれて配置されていることを特徴とする請求項３から請求項５のいずれかに記載の光ピックアップ装置。
【請求項７】
請求項１から請求項６までのいずれかに記載された光ピックアップ装置を備えることを特徴とする光ディスク装置。
【請求項８】
光を出射するためのレーザ素子を筐体内に設けたレーザ光源と、前記レーザ素子から出射された光を略平行な光束とする第一の集光素子と、前記第一の集光素子を通過した略平行な光束を光記録媒体の記録面に集光する第二の集光素子と、前記記録面で反射された反射光が通過し、光路を変更する光学素子と、光学素子を通過した反射光を受光して光を電気信号に変換する信号検出手段とを備えた光ピックアップ装置の製造方法において、
前記光ピックアップの筐体に前記第一の集光素子を取り付ける第一の取り付け工程と、
前記レーザ光源に設けられた際の前記レーザ素子の光軸の傾きの検査結果に基づき、該レーザ光源を傾けて前記筐体に取り付ける第二の取り付け工程と、
前記第二の集光素子を、該第二の集光素子の光学的中心軸と前記第一の集光素子の光学的中心軸が一致する位置に搭載した後、前記レーザ光源を発光させ、光記録媒体からの反射光を前記信号検出手段で受け、該信号検出手段からの出力信号を観測しながらトラッキング誤差信号が所望の出力状態になる位置まで、前記第二の集光素子の光学的中心軸を前記第一の集光素子の光学的中心軸に対して垂直方向へずらしながら配置する配置工程とを有することを特徴とする光ピックアップ装置の製造方法。
【請求項９】
前記レーザ素子の光軸の傾きの検査結果とは、前記第二の取り付け工程前に、前記レーザ光源の傾ける方向と度合いを調べるための検査機を用いて該レーザ光源単体の検査を行う検査工程の結果であることを特徴とする請求項８に記載の光ピックアップ装置の製造方法。
【請求項１０】
前記第二の取り付け工程は、前記レーザ光源と光ピックアップ装置の筐体との取り付け部分に、薄板を介して取り付けることを特徴とする請求項８または請求項９に記載の光ピックアップ装置の製造方法。
【請求項１１】
前記薄板の厚みや取り付け場所は、前記検査結果に基づくものであることを特徴とする請求項１０に記載の光ピックアップ装置の製造方法。
【請求項１２】
前記レーザ光源は二つあり、前記第二の取り付け工程は、各々のレーザ光源の前記検査結果に基づいて傾けたことを特徴とする請求項８から請求項１１のいずれかに記載の光ピックアップ装置の製造方法。
【請求項１３】
前記配置工程は、前記二つあるレーザ光源のうちどちらか一方について行われることを特徴とする請求項１２に記載の光ピックアップ装置の製造方法。
【請求項１４】
前記配置工程は、前記二つあるレーザ光源のうち高密度光記録媒体用に適した、波長が最も短いレーザ光源について行われることを特徴とする請求項１２または請求項１３に記載の光ピックアップ装置の製造方法。
【発明の詳細な説明】
【技術分野】
【０００１】
本発明は光ディスク装置等の光記録再生装置に用いられる光ピックアップ装置及びその製造方法に関する。
【背景技術】
【０００２】
近年、光記録媒体の種類は多様となっており、仕様の異なるこれら複数の光記録媒体の記録／再生に対応するため、複数の光源を備えた光ピックアップ装置も広く利用されるようになっている。例えば、波長７８０ｎｍ付近の赤外光を用いるコンパクト・ディスク（略称ＣＤ）と、波長６５０ｎｍ付近の赤色光を用いるデジタル・バーサタイル・ディスク（略称ＤＶＤ）とに対応することのできるピックアップ装置がそうである。この光ピックアップ装置には、ＣＤ用光源とＤＶＤ用光源の合計２つの光源が搭載されているが、光学部品削減のためにＣＤ用とＤＶＤ用の光学系共通化が進められ、ＣＤ用光路とＤＶＤ用光路の重ね合わせ手段及び分離手段としてプリズムが使われている。具体的な構成例として、図９及び図１０を用いて説明する。本例では、レーザ光源７１０（８１０）（図１０では省略）と一般的にはコリメータレンズと呼ばれる第一集光素子７３０の間にプリズム７２０が配置されている。レーザ光源７１０（８１０）からの発散光束７０１ｆ（８０１ｆ）がプリズム７２０で反射（透過）された後、発散光束７０２ｆ（８０２ｆ）として第一集光素子７３０に入射、そこで略平行光束７０３ｆ（８０３ｆ）に変換される。前記略平行光束７０３ｆ（８０３ｆ）は、一般的には対物レンズと呼ばれる第二集光素子４０によって集束光束７０４ｆ（８０４ｆ）に変換されて、光記録媒体５０の記録面にスポットを結像する。なお、第二集光素子４０には、入射瞳径を規定するための絞りとなるアパーチャ４１が付加されている。更に、これら第二集光素子４０及びアパーチャ４１をフォーカス方向及びトラック方向に移動可能とするために、該第二集光素子４０及びアパーチャ４１はアクチュエータと呼ばれる機構部品（図示せず）に搭載されている。光記録媒体５０にて反射された光は、発散光束７０４ｒ（８０４ｒ）として第二集光素子４０に入射する。そこで略平行光束７０３ｒ（８０３ｒ）に変換され、第一集光素子７３０を通過後、集光光束７０２ｒ（８０２ｒ）としてプリズム７２０に入射する。各光源からの光が光記録媒体５０に向かう際と同様に光プリズム７２０にて反射（透過）された後、レーザ光源内の信号検出手段７６０（８６０）にて光記録媒体５０からの信号が検出される。
【０００３】
以上、本構成から明らかなように、プリズム７２０は、レーザ光源７１０からの発散光束７０１ｆとレーザ光源８１０からの発散光束８０１ｆの光路を重ね合わせ、集光光束７０２ｒと集光光束８０２ｒの光路をそれぞれレーザ光源７１０とレーザ光源８１０の方向へ分離している。このような構成にすることにより、第一集光素子７３０及び第二集光素子４０を２つの光学系における共通部品として使用でき、光学部品削減が可能となる。
【０００４】
次に、図１１を用いてレーザ光源７１０の構成を説明する。なお、レーザ光源８１０については、レーザ光源７１０と同様の構成のため、説明は省略する。本例において、レーザ光源７１０は、発光点であるレーザ素子７１１と信号検出手段７６０の両素子を有している。即ち、レーザ光源７１０には、レーザ固定部７１５上にレーザ素子７１１と信号検出手段７６０とが搭載され、それらを保護するためのパッケージが設けられている。前記パッケージには、レーザ素子７１１から出射された光を取り出すとともに、光記録媒体５０からの反射光を信号検出手段７６０に導くための光路となる開口部が設けてある。そして開口部上面には、前記反射光を信号検出手段７６０に導くための光路変更素子として、例えば回折格子（ホログラム素子）７１４の刻まれたホログラムガラス７６１が配置されている。前記構成において、レーザ素子７１１から出射されたレーザ光線が回折格子（ホログラム素子）７１４の刻まれたホログラムガラス７６１を透過し、各光学部品を通過後、光記録媒体５０の記録面にスポットを結像する。光記録媒体５０にて反射された光は、各光学部品を通過後、回折格子７１４にて光路変更されて光検出器７６０に導かれた後、光電変換によって電気信号として検出される。
【０００５】
このように、レーザ素子以外にも主要部品を搭載して、レーザ光源をモジュール化することにより、先のプリズムの場合と同様に、複数の光源を備えた光ピックアップ装置の光学部品削減及びそれによる信頼性の向上に大きく貢献している。
【０００６】
ここでレーザ光源７１０からの出射光は、レーザ光源７１０に搭載されたレーザ素子７１１を中心に放射される球面波であるが、その強度分布５８０を光軸５７９を含む断面にて表すと、図１２（ａ）に示したようなガウス分布に近い形状となることが広く知られている。図中において、横軸は光軸位置を含む面内での放射角度、もしくは光軸５７９に垂直な面における光軸５７９との交点を含む任意の直線即ち光軸からの距離を表しており、縦軸は光ビームの強度を表している。ここで光軸５７９とは、前記図９及び図１０におけるレンズ系の光学的中心を通る光線であり、入射瞳径を規定するための絞りとなるアパーチャ４１の中心を通る、いわゆる主光線と同一であると考えて差し支えなく、前記図９及び図１０において一点鎖線で示した符号７０９にて表示している。
【０００７】
しかしながら実際には、レーザ光源７１０内にあるレーザ素子７１１や回折格子７１４は、光軸５７９に対してずれを有しており、理想的な位置関係ではないことがある。これはレーザ素子７１１をレーザ光源７１０内に搭載する際、少なからず位置誤差が発生する為である。また、ホログラムガラス７６１をレーザ光源に実装する際も同様の位置誤差が発生する。従って、レーザ素子７１１から図１２（ａ）に示したような対称な光強度分布５８０を有する発散光束が出射されても、レーザ素子７１１の前記光軸からの位置ずれの影響により、対物レンズである第二集光素子４０を通過するレーザ光線の強度分布５９０は図１２（ｂ）のように非対称となってしまう。（図中Ｄは入射瞳径を規定するための絞りとなるアパーチャ４１の直径とする。）加えて、回折格子７１４の前記光軸からの位置ずれの影響により、光記録媒体５０からの反射光をレーザ光源７１０内に搭載された光検出器７６０上の所望の位置に導くことも出来ず、その結果、良好な信号を得ることが困難となる。更に、レーザ光源８１０についても同様の問題点を有している。
【０００８】
このような問題点を解決するために、主にレーザ光源を傾けることにより対物レンズを通過する光ビームの強度分布の非対称性を補正する方法が提案されている。（例えば特許文献１、特許文献２、特許文献３）
【特許文献１】特開平６−１３９６１３号公報
【特許文献２】特開２００１−１３４９５１号公報
【特許文献３】特開２００３−３１７２６４号公報  各文献について具体的に説明すると、特許文献１では例えば公報の段落番号（００２１）から（００２２）に記載されているように、発光点であるレーザ素子周りに回動可能な取り付けができるようにレーザ光源取り付け部及び筐体に円筒面が形成され、レーザ光源の取り付け角度調整を行っている。また、特許文献２では例えば公報の段落番号（００２０）から（００２３）に記載されているように、レーザ光源を傾けるためのアダプタとしてのレーザホルダにレーザ光源を取り付けた後、これを筐体側へ設置する際に、コリメータレンズからの出射光をＣＣＤカメラ等でモニターしながら強度分布が一様になるようにホルダを光軸回りに回転させる調整を行っている。更に、特許文献３では例えば公報の段落番号（００３０）から（００３２）に記載されているように、レーザ光源にレーザホルダを圧入後、センサーでレーザの強度分布をモニターしながらレーザ光源とレーザホルダの取り付け角度の調整を行っている。
【０００９】
なお、前記特許文献１においては、レーザ光源を傾けずに対物レンズを通過する光ビームの強度分布の非対称性を補正する方法も提案されている。具体的には公報の段落番号（００２０）に記載されているように、アパーチャを通過して対物レンズに入射する平行光線の強度分布中心と、アパーチャ及び対物レンズの中心軸とが略一致するように、アパーチャ及び対物レンズをずらして配置することによって前記補正を実現している。
【発明の開示】
【発明が解決しようとする課題】
【００１０】
しかしながら、前記いずれの方法においても、レーザ光源を傾けるために特殊な形状のレーザホルダや筐体自体の特殊形状加工が必要であり、かつ、レーザ光源をホルダや筐体に取り付けた後にレーザ光源の各種調整工程が必要となる。そのため、ホルダや筐体の作製には高精度が要求され、かつ、レーザ光源の各種調整工程追加による生産性悪化は避けられない。また、特許文献１において記載された、レーザ光源を傾けずにアパーチャ及び対物レンズをずらして配置する前記方法においても次のような問題点がある。即ち、レーザ光源内に搭載されたレーザ素子の位置誤差の度合いによってはアパーチャ及び対物レンズの位置、つまりは筐体に搭載されるアクチュエータの位置を大きくずらす必要が生じるため、筐体側に設けられたアクチュエータ搭載スペース内の大きく片寄った位置にてアクチュエータは固定されるので、光ピックアップとしての信頼性が低下したり、対物レンズ動作時のトラック方向可動量がアンバランスになったりしてしまう。
【００１１】
更には、前記いずれの文献に関しても、図９及び図１０に示した従来の光ピックアップ装置における前記もうひとつの問題点、即ち、回折格子の位置ずれの影響により、光記録媒体からの反射光をレーザ光源内に搭載された光検出器上の所望の位置に導くことが出来ないという問題点の解決手段は記載されていない。これは、該文献における光ピックアップ装置の構成が、図９及び図１０に示した従来の光ピックアップ装置の構成とは異なり、1つのレーザ光源を用い、かつ、レーザ素子と信号検出手段である光検出器は別部品として、異なる位置に搭載された構成をとっており、このような構成であれば、光記録媒体からの反射光を光検出器上の所望の位置に導くために、例えば前記特許文献３の公報の段落番号（００１３）及び（００３４）に記載されているような、光検出器のみの位置調整を行うことで可能となるためである。当然、前記図９及び図１０に示したような、複数の光源を有し、かつ、該光源にレーザ素子と光検出器の両素子を備えた従来の光ピックアップ装置に対しては、前記光検出器のみの位置調整を行うことは不可能であり、よって、該従来の光ピックアップ装置の抱える前記問題点を解決するには、前記いずれの文献にも記載も示唆もされていない新たな解決手段が必要となる。
【００１２】
本発明は、このような状況に鑑みてなされたものであり、特殊な形状のレーザホルダを用いず、筐体自体の特殊形状加工も施さないで、対物レンズを通過する光ビームの強度分布の非対称性補正を行い、かつ、筐体に配置されるアクチュエータの搭載初期位置からずらす移動量を最小に押さえて高信頼性を確保しつつ、回折格子の位置ずれの影響を補正して光記録媒体からの反射光を光検出器上の所望の位置に導くことを可能にした光ピックアップ装置を提供することを目的とする。
【課題を解決するための手段】
【００１３】
上記目的を達成するために、本発明は、光を出射するためのレーザ素子を筐体内に設けたレーザ光源と、前記レーザ素子から出射された光を略平行な光束とする第一の集光素子と、前記第一の集光素子を通過した略平行な光束を光記録媒体の記録面に集光する第二の集光素子と、前記記録面で反射された反射光が通過し、光路を変更する光学素子と、光学素子を通過した反射光を受光して光を電気信号に変換する信号検出手段とを備えた光ピックアップ装置において、前記レーザ光源は、前記レーザ素子の発光点と前記第一の集光素子の中心点を結ぶ中心軸に対して傾いて配置されており、前記第二の集光素子の中心点は前記中心軸に対して垂直方向へずれて配置されていることを特徴とする。
【００１４】
また本発明は、光を出射するためのレーザ素子を筐体内に設けたレーザ光源と、前記レーザ素子から出射された光の経路を変更する反射光学素子と、前記レーザ素子から出射された光を略平行な光束とする第一の集光素子と、前記第一の集光素子を通過した略平行な光束を光記録媒体の記録面に集光する第二の集光素子と、前記記録面で反射された反射光が通過し、光路を変更する光学素子と、光学素子を通過した反射光を受光して光を電気信号に変換する信号検出手段とを備えた光ピックアップ装置において、前記レーザ光源は、前記レーザ素子の発光点と前記反射光学素子の中心点を結ぶ第一の軸に対して傾いて配置されており、前記第二の集光素子の中心点は前記反射光学素子の中心点と前記第一の集光素子の中心点を結ぶ第二の軸に対して垂直方向へずれて配置されていることを特徴とする。
【００１５】
前記レーザ光源は、筐体に前記光学素子と前記信号検出手段を有し、一つの部品として構成されていることが望ましい。
【００１６】
また、前記レーザ光源を傾けて配置するために、前記レーザ光源と光ピックアップ装置の筐体との取り付け部分に、薄板を挿入して前記レーザ光源を保持することが望ましい。
更に、前記レーザ光源は、このレーザ光源に搭載された際の前記レーザ素子の光軸の傾きを補正するために、前記中心軸または前記第一の軸に対して傾いて配置されていることが望ましい。
【００１７】
また、前記第二の集光素子は、前記レーザ光源に搭載された際に発生した前記光学素子の前記反射光光軸に対するずれを補正するために、前記中心軸または前記第二の軸に対して垂直方向へずれて配置されていることが望ましい。
更に本発明は、前記のいずれかに記載された光ピックアップ装置を備えることを特徴とする光ディスク装置であることが望ましい。
【００１８】
また、本発明は、光を出射するためのレーザ素子を筐体内に設けたレーザ光源と、前記レーザ素子から出射された光を略平行な光束とする第一の集光素子と、前記第一の集光素子を通過した略平行な光束を光記録媒体の記録面に集光する第二の集光素子と、前記記録面で反射された反射光が通過し、光路を変更する光学素子と、光学素子を通過した反射光を受光して光を電気信号に変換する信号検出手段とを備えた光ピックアップ装置の製造方法において、前記光ピックアップの筐体に前記第一の集光素子を取り付ける第一の取り付け工程と、前記レーザ光源に設けられた際の前記レーザ素子の光軸の傾きの検査結果に基づき、該レーザ光源を傾けて前記筐体に取り付ける第二の取り付け工程と、前記第二の集光素子を、該第二の集光素子の光学的中心軸と前記第一の集光素子の光学的中心軸が一致する位置に搭載した後、前記レーザ光源を発光させ、光記録媒体からの反射光を前記信号検出手段で受け、該信号検出手段からの出力信号を観測しながらトラッキング誤差信号が所望の出力状態になる位置まで、前記第二の集光素子の光学的中心軸を前記第一の集光素子の光学的中心軸に対して垂直方向へずらしながら配置する配置工程とを有することを特徴とする。
【００１９】
前記レーザ素子の光軸の傾きの検査結果とは、前記第二の取り付け工程前に、前記レーザ光源の傾ける方向と度合いを調べるための検査機を用いて該レーザ光源単体の検査を行う検査工程の結果であることが望ましい。
【００２０】
また、前記第二の取り付け工程は、前記レーザ光源と光ピックアップ装置の筐体との取り付け部分に、薄板を介して取り付けることが望ましい。
更に、前記薄板の厚みや取り付け場所は、前記検査結果に基づくものであることが望ましい。
【００２１】
また、前記レーザ光源は二つあり、前記第二の取り付け工程は、各々のレーザ光源の前記検査結果に基づいて傾けたことが望ましい。
【００２２】
更に、前記配置工程は、前記二つあるレーザ光源のうちどちらか一方について行われることが望ましい。
【００２３】
また、前記配置工程は、前記二つあるレーザ光源のうち高密度光記録媒体用に適した、波長が最も短いレーザ光源について行われることが望ましい。
【発明の効果】
【００２４】
以上説明したように、レーザ素子搭載時のずれに起因する、第二集光素子を通過する光ビームの強度分布の非対称性という問題は、主にレーザ素子の搭載されたレーザ光源を傾けることによって解決され、かつ、回折格子搭載時のずれに起因する、光記録媒体からの反射光を光検出器上の所望の位置に導くことができなくなるという問題は、主に第二集光素子を光記録媒体の半径方向へ微動させて配置することによって解決される。すなわち、本発明によれば、レーザ素子や回折格子の搭載ずれを有していても、特殊な形状のレーザホルダを用いず、筐体自体の特殊形状加工も施さないで、第二集光素子を通過する光ビームの強度分布の偏りを無くして、かつ、筐体に配置される第二の集光素子の移動量を押さえながらも、光記録媒体からの反射光を光検出器上の所望の位置に導くことが可能な光ピックアップ装置が実現できる。
その結果、本発明の光ピックアップ装置は光記録媒体からの反射光である各種信号品位に優れ、特にトラッキング誤差信号の品位向上によって、常に安定したトラッキングサーボ動作を行えるので、安定かつ信頼性の高い情報の記録再生が可能となる。
【発明を実施するための最良の形態】
【００２５】
以下、本発明の実施形態を図面に基づき説明する。
図１に実施形態における光ピックアップ装置に関する平面図を、また図２に側面図（レーザ光源は省略）を示す。各図において、１１０及び２１０はそれぞれ波長の異なるレーザ素子を内蔵したレーザ光源、１２０はプリズム、３０は一般的にはコリメータレンズと呼ばれる第一集光素子、４０は一般的には対物レンズと呼ばれる第二集光素子、４１は入射瞳径を規定するための絞りとなるアパーチャ、５０は光記録媒体、７０は第一集光素子３０と第二集光素子４０間の光路を折り曲げるミラーである。本例におけるレーザ光源１１０と２１０は、図９及び図１０にて示した例と同様の構成であって、レーザ光源１１０についてはレーザ素子１１１と信号検出手段６０の両素子、レーザ光源２１０についてはレーザ素子２１１と信号検出手段２６０の両素子をそれぞれ有している。例えば、光記録媒体５０の記録／再生に対応した波長で発光する発光素子を有するのはレーザ光源１１０として、光記録媒体５０からの反射光は、ホログラムガラス６１に刻まれた回折格子により光路変更されて信号検出手段６０に導かれる。同様に、光記録媒体５０とは仕様の異なる他の光記録媒体の記録／再生に対応した波長で発光する発光素子を有するのはレーザ光源２１０として、前記他の光記録媒体（図示せず）からの反射光は、ホログラムガラス２６１に刻まれた回折格子により光路変更されて信号検出手段２６０に導かれる。プリズム１２０は、前記レーザ光源１１０及び２１０から出射された波長の異なるそれぞれの光束を重ね合わせる機能及び分離する機能を必要とするので、例えば、波長の違いによってプリズム１２０の分離面１２１が反射作用もしくは透過作用を示す、波長選択性を有しかつ反射作用及び透過作用の入射角依存性が少ないダイクロイックプリズムの使用が望ましい。ただし、前記波長選択性と入射角依存性が少ないという条件を満たすのであれば、これに限ったものではない。
【００２６】
また、第二集光素子４０及びアパーチャ４１をフォーカス方向及びトラック方向に移動可能とするために、該第二集光素子４０及びアパーチャ４１はアクチュエータと呼ばれる機構部品（図示せず）に搭載されている。
【００２７】
なお、図１において一点鎖線で示す１０９は、レーザ光源１１０（２１０）から第二集光素子４０に至る光学系の理想光軸としての中心軸を示し、レーザ光源１１０（２１０）の有するレーザ素子１１１（２１１）の発光点と第一集光素子３０の光学的中心点とを結ぶ直線である。
【００２８】
本実施形態において最も特徴的な構造は、レーザ光源１１０、レーザ光源２１０、及び第二集光素子４０の配置にある。すなわち、前記中心軸１０９に対し、レーザ光源１１０の中心線１１２及びレーザ光源２１０の中心線２１２を、各レーザ光源から出射され前記第二集光素子４０を通過する光束の強度分布中心が前記第二集光素子４０の光学的中心とおおよそ一致するように傾けて配置していること、かつ、前記第二集光素子４０を、前記第一集光素子３０の光学的中心軸と該第二集光素子４０の光学的中心軸が一致する位置から、前記光記録媒体の半径方向へ微動させて配置したことにある。
【００２９】
レーザ光源１１０より出射した発散光束１０１ｆはプリズム１２０の分離面１２１で反射された後、発散光束１０２ｆとして第一集光素子３０に入射、そこで略平行光束１０３ｆに変換される。前記略平行光線１０３ｆは、アパーチャ４１を通過後、第二集光素子４０によって集束光束１０４ｆに変換されて、光記録媒体５０の記録面にスポットを結像する。光記録媒体５０により変調された反射光１０４ｒは、第二集光素子４０を経て略平行光束１０３ｒとなり、第一集光素子３０を通過後、集束光束１０２ｒとなって、再びプリズム１２０に入射する。前記集束光束１０２ｒはプリズム１２０の分離面１２１で反射してレーザ光源１１０側へと戻ってくるが、ホログラムガラス６１に刻まれた回折格子により光路変更されて、信号検出手段６０に導かれる。一方、光記録媒体５０とは仕様の異なる他の光記録媒体の記録／再生を行う場合、該光記録媒体に対応したレーザ光源２１０を用いる。前記レーザ光源２１０より出射した発散光束２０１ｆは、プリズム１２０の分離面１２１を透過した後、発散光束２０２ｆとして第一集光素子３０に入射、そこで略平行光束２０３ｆに変換される。前記略平行光線２０３ｆは、アパーチャ４１を通過後、第二集光素子４０によって集束光束に変換されて、光記録媒体の記録面にスポットを結像する。光記録媒体により変調された反射光は、第二集光素子４０を経て略平行光束２０３ｒとなり、第一集光素子３０を通過後、集束光束２０２ｒとなって、再びプリズム１２０に入射する。前記集束光束２０２ｒはプリズム１２０の分離面１２１を透過してレーザ光源２１０側へと戻ってくるが、ホログラムガラス２６１に刻まれた回折格子により光路変更されて、信号検出手段２６０に導かれる。なお、レーザ光源から出射してから光記録媒体まで進む光束を示した１０１ｆから１０４ｆ及び２０１ｆから２０３ｆ、ならびに光記録媒体から反射して信号検出手段まで進む光束を示した１０２ｒから１０４ｒ及び２０２ｒから２０３ｒは、厳密には光束径の違いにより異なる経路を通るが、本実施形態においてこの如何は問わない為、簡略化のため説明図中では同一経路としている。
【００３０】
次に、光記録媒体からの反射光を用いて信号検出を行うしくみを、図３を用いてもう少し詳しく説明する。なお、理解を容易にするために、図３には主要部品の略位置関係を示すのみにとどめている。図３において、３１１はレーザ素子、３１４はホログラムガラス（図示せず）に刻まれた回折格子、３０は第一集光素子、４０は第二集光素子、４１は入射瞳径を規定するための絞りとなるアパーチャ、５１は光記録媒体、３６０は信号検出手段である。なお、回折格子３１４は例えば円形を３分割した形状を有しており、光記録媒体５１からの反射光が回折格子３１４を通過する際には、前記３分割された領域それぞれに応じて異なる方向へ光路変更させるように、分割領域ごとに異なるパターンの回折格子が形成されている。また、光検出手段３６０は多分割形成された受光面を有する例えばフォトダイオードである。
【００３１】
レーザ素子３１１より出射した発散光束は回折格子３１４を透過し、第一集光素子３０にて略平行光束に変換され、第二集光素子４０によって集光光束に変換されて光記録媒体５１の記録面にスポットを結像する。前記光記録媒体５１からの反射光は、第二集光素子４０を経て略平行光束となり、第一集光素子を通過後集光光束となって回折格子３１４へ入射する。ここで、３１５は回折格子３１４上での前記集光光束の断面形状を表しており、今、仮に反射光スポットと呼ぶ。回折格子３１４の分割領域ａｂを通過した前記集光光束は光検出手段３６０のＡもしくはＢ領域へ、また、分割領域ｃを通過した前記集光光束は光検出手段３６０のＣ領域へ、更には、分割領域ｄを通過した前記集光光束は光検出手段３６０のＤ領域へと、それぞれ光路変更されて導かれた後、光電変換によって電気信号として出力される。そして、フォーカス及びトラッキングのサーボ動作を行うために、前記電気信号を用いて演算を行い、各サーボ用誤差信号を生成する。前記光検出手段３６０の各領域Ａ，Ｂ，Ｃ，Ｄから得られた電気信号の出力を、それぞれＶＡ，ＶＢ，ＶＣ，ＶＤとすると、各サーボ用誤差信号の一般的な生成式は次のようになる。
【００３２】
フォーカス誤差信号＝ＶＡ−ＶＢ                              （１）
トラッキング誤差信号＝ＶＣ−ＶＤ                            （２）
上記誤差信号の生成に関し、本実施形態は特にトラッキング誤差信号の品位向上に関して非常に有効である。光記録媒体５１からの反射光が回折格子３１４によって光路変更されて光検出手段３６０へ導かれる過程において、回折格子３１４上の分割領域ｃ及びｄの分割線に対し反射光スポット３１５の位置が偏っていると、光検出手段３６０のＣ領域及びＤ領域へ導かれる光量も偏ってしまい、結果、上式（２）からわかるようにトラッキング誤差信号の出力にオフセットが発生するため、トラッキングサーボ動作に支障をきたすが、本実施形態はこの問題の解決が可能である。
【００３３】
図４から図７を用いて、更に詳しく本実施形態について説明する。なお各図において、（ａ）は第二集光素子４０を通過するレーザ光線の強度分布を示し、縦軸はレーザ光線の強度、横軸は第二集光素子４０の光学的中心軸からの距離を表している。また、（ｂ）は図３をＹ軸の負方向側から正方向側を見た概略図を表し、（ｃ）は図３の回折格子３１４をＺ軸の正方向側から負方向側を見た概略図を表している。
【００３４】
図４では、レーザ光源３１０に搭載されたレーザ素子３１１及び回折格子３１４が位置ずれのない状態での動作を示している。図４（ｂ）において、レーザ素子３１１より出射したレーザ光の強度分布中心３０９は回折格子３１４、第一集光素子３０、アパーチャ４１及び第二集光素子４０の各中心点を通過して光記録媒体５１の記録面に到達する。その後、該光記録媒体５１にて反射されて、前記レーザ素子３１１から該光記録媒体５１へ到達するまでの光路と同じ光路を通って回折格子３１４へ入射する。このように、レーザ素子３１１が位置ずれのない状態では、レーザ光の強度分布中心３０９が第二集光素子４０を通過する光路と、該第二集光素子４０の中心軸とが一致するため、第二集光素子４０を通過するレーザ光線の強度分布５６０は図４（ａ）に表したようになる。すなわち、第二集光素子４０の中心軸５５９に対して対称形となり、アパーチャ４１の直径をＤとすると、Ｄの領域内にて偏りの無い分布となっている。また、回折格子３１４も位置ずれのない状態なので、回折格子３１４上の反射光スポット３１５の位置も、図４（ｃ）に表したように回折格子３１４上の分割領域ｃ及びｄの分割線に対し偏りのない状態にある。
【００３５】
図５では、レーザ光源３１０に搭載されたレーザ素子３１１及び回折格子３１４が位置ずれのある状態での動作を示している。実際には本例のように位置ずれしている場合が多く、レーザ素子における具体的な数値例として、図４（ａ）に示した光強度分布となるような目標位置に対して例えば±８０μｍ程度、更に傾きに関しても±２°程度のずれを有する。図５（ｂ）において、レーザ素子３１１は紙面手前から見て左回りの方向へ傾きずれが生じており、回折格子３１４は紙面手前から見て左方向への位置ずれが生じているという状態を一例として示している。また、第一集光素子３０とアパーチャ４１及び第二集光素子４０の各中心軸は一致しており、該中心軸を一点鎖線３０９ａで示している。レーザ素子３１１より出射したレーザ光の強度分布中心３０９は、光記録媒体５１の記録面に到達するまで前記中心軸３０９ａの左側を進行し、該光記録媒体５１にて反射された後は、前記中心軸３０９ａの右側を進行して回折格子３１４へ入射する。よって、第二集光素子４０を通過するレーザ光線の強度分布５７０は図５（ａ）に表したようになる。すなわち、強度分布中心５６９は第二集光素子４０の中心軸５５９に対して紙面手前から見て左側にずれ、Ｄの領域内にて大きく偏った分布となっている。また、回折格子３１４上の反射光スポット３１５の位置も、回折格子３１４の位置ずれの影響も加わって、図５（ｃ）に表したように回折格子３１４上の分割領域ｃ及びｄの分割線に対し分割領域ｃ側へ大きく偏った状態にある。本状態のままでは、光記録媒体５１に対し良好な情報記録再生を行うことは極めて困難である。
【００３６】
図６では、本実施形態の特徴である、レーザ素子３１１のずれを補正するためにレーザ光源３１０を傾けて配置した状態での動作を示している。なお、レーザ光源３１０を傾けた際にレーザ素子３１１の位置を大きく変動させないために、レーザ素子３１１を中心点としてレーザ光源３１０を回転させるように傾ける。レーザ光源３１０を傾けることによって、図６（ｂ）に示すようにレーザ光源３１０に搭載されたレーザ素子３１１及び回折格子３１４が共に傾いた状態となる。傾ける方向は、レーザ素子３１１より出射したレーザ光の強度分布中心３０９が、前記中心軸３０９ａとおおよそ一致するように、紙面手前から見て右回りの方向である。このとき、前記強度分布中心３０９と前記中心軸３０９ａが正確に一致する必要はなく、あくまでもおおよそ一致する程度の粗調整的な位置付けであるので、後ほど記載する簡単な方法にて実現可能である。レーザ光源を傾けることによって、第二集光素子４０を通過するレーザ光線の強度分布５７０は図６（ａ）に表したようになる。すなわち、強度分布中心５６９は、前記図５（ａ）の状態に比べて、第二集光素子４０の中心軸５５９に接近しており、Ｄの領域内にての分布の偏りが改善されている。同様に、回折格子３１４上の反射光スポット３１５の位置についても図６（ｃ）に表したように、前記図５（ｃ）の偏り状態に比べて改善されている。なお、前記強度分布中心３０９と前記中心軸３０９ａが正確に一致するようにレーザ光源を傾けたとしても、回折格子３１４の位置ずれの影響とは関係が無いため、回折格子３１４上における反射光スポット３１５の位置の偏り状態を完全に解消することはできない。
【００３７】
図７では、図６にて説明したレーザ光源３１０を傾けて配置した状態に加え、本実施形態のもう一つの特徴である、第二集光素子４０を光記録媒体５１の半径方向へ微動させて配置した状態での動作を示している。図７（ｂ）に示すように、第二集光素子４０及びそれに付加しているアパーチャ４１の中心軸３０９ｃを、第一集光素子３０の中心軸３０９ｂに対して、紙面手前から見て左側に微動させた状態に配置することによって、第二集光素子４０を通過するレーザ光線の強度分布５７０は図７（ａ）に表したようになり、強度分布中心５６９は、第二集光素子４０の中心軸５５９にほぼ一致しており、Ｄの領域内にての分布の偏りがない状態にまで改善される。本微動は、前記トラッキング誤差信号の出力を確認しながら、オフセットが発生しないように行われるので、当然、回折格子３１４上の反射光スポット３１５の位置については図７（ｃ）に表したように、回折格子３１４上の分割領域ｃ及びｄの分割線に対し偏りのない状態に改善される。
【００３８】
上記図４から図７を用いた説明より明らかなように、レーザ光源３１０に搭載されたレーザ素子３１１のずれに起因する、対物レンズである第二集光素子４０を通過する光ビームの強度分布の非対称性という問題は、主にレーザ光源３１１を傾けることによって、前記強度分布中心３０９と前記中心軸３０９ａとが近づくほどに改善され、ほぼ一致することにより解決される。なおかつ、前記レーザ光源３１０に搭載された回折格子の位置ずれに起因する、光記録媒体からの反射光を光検出器上の所望の位置に導くことができなくなるという問題は、主に前記第二集光素子４０を光記録媒体５１の半径方向へ微動させて配置することによって、前記回折格子３１４上における反射光スポット３１５の位置は偏りのない状態に改善されることにより解決される。すなわち、図１及び図２に示した本実施形態によって、レーザ素子や回折格子の搭載ずれを有するレーザ光源であっても、対物レンズを通過する光ビームの強度分布は偏りが無く、かつ、光記録媒体からの反射光を光検出器上の所望の位置に導くことが可能な光ピックアップ装置が実現できる。なお、本実施形態では、レーザ素子と光検出器及び回折格子を備えたレーザ光源を例に用いて説明したが、これらの素子はそれぞれ独立した部品であっても構わない。例えば、レーザ光源はレーザ素子のみ有し、光検出器や回折格子は別部品である光ピックアップ装置であっても、該光ピックアップ装置の簡素化及び低価格化のために調整機構に制限があって、前記光検出器や回折格子は光ピックアップ装置の筐体に搭載するのみで調整機構を有さない場合、やはり、前記各部品搭載時のずれによる影響は避けられない。また、筐体作製時に発生した誤差によって、部品搭載の基準位置自体にずれが生じている場合もある。こういった場合にも本発明は非常に有効である。
【００３９】
更に、レーザ光源を傾けて配置するための具体例について説明する。
図８（ａ）及び図８（ｂ）は、光ピックアップ装置におけるレーザ光源４１０の取り付け部分を拡大して示している。各図において、８０は光ピックアップ装置の筐体を成すハウジング、４２０はハウジング８０上に保持されたプリズムである。レーザ光源４１０の有するレーザ固定部４１５は、レーザ光源４１０とハウジング８０との取り付け部であり、かつレーザ素子に対する基準面となるため、レーザ光源を傾けない一般的な場合、図８（ａ）に示したようにハウジング８０に密着している。本実施形態では図８（ｂ）に示したように、レーザ光源４１０に傾きを発生させる為に、前記レーザ固定部４１５とハウジング８０が接する個所の片側に薄板４１６を挿入する。このように、特殊な形状のレーザホルダを用いず、また、レーザ光源４１０やハウジング８０に特殊形状加工を施す必要もなく、レーザ光源４１０を傾けることが可能となる。厳密には、薄板４１６を挿入する事によってレーザ光源４１０に搭載されたレーザ素子４１１の位置は変化するが、薄板４１６は極めて薄く、一例として５０μｍ程度の厚さであるため、前記レーザ素子４１１の位置変化はほぼ無視できる。また、厚みの異なる薄板４１６を数通り用意して、傾ける度合いに応じて最適な厚みの薄板４１６を用いること、及び前記レーザ固定部４１５とハウジング８０が接する個所で、薄板４１６の挿入する位置を変更することにより、傾ける度合いや方向の多様性に対応可能である。また、薄板の固定方法は任意であるが、接着で固定するのが簡便である。
【００４０】
次に、図１に示した光ピックアップ装置の製造方法を説明する。まずピックアップ装置の部品取り付け工程前に、レーザ光源１１０及び２１０単体について、傾ける方向や度合いを調べるための検査機を用いて検査を行う。すなわち本工程は、先に説明したレーザ固定部とハウジングが接する個所に挿入する薄板の厚みや挿入個所を決めるための検査工程である。検査結果に基づいた薄板の取り付け方の一例として、薄板の厚みは例えば１０μｍ，３０μｍ，５０μｍの３通りと挿入個所２通りの組み合わせにより６通り、及び挿入必要なしの場合も含めて合計７通りに分類を行うことができる。本工程を取り付け工程前に行うことにより、取り付け工程時には既に決定した厚さの薄板を所定の場所に配置してレーザ光源を取り付けるだけで済むので、厚さの異なる薄板を何度も交換したり、挿入位置を変更したりといった手間が省けて製造時間が大幅に短縮できる。本検査工程の終わったレーザ光源を用いて光ピックアップ装置の取り付け工程を開始する。
【００４１】
まず、第一の取り付け工程として、プリズム１２０、及び第一集光素子３０を、事前に光ピックアップ装置の筐体を成すハウジング（図１では記載せず）の所定の位置に取り付けておく。
【００４２】
そして、第二の取り付け工程として、プリズム１２０の反射作用を用いる光学系配置であるレーザ光源１１０を、既に決定した厚さの薄板を所定の場所に配置した後に、ハウジングに取り付ける。この時点で、先に説明した図６（ａ）の強度分布状態が達成できる。
【００４３】
更に、配置工程として、第二集光素子４０及びアパーチャ４１を有するアクチュエータ（図示せず）を、位置調整冶具（図示せず）を用いて、前記ハウジング内の初期設定位置である第一集光素子３０の光学的中心軸と第二集光素子４０の光学的中心軸が一致する位置に、一旦搭載する。引き続き、前記レーザ光源１１０を発光させて、光記録媒体からの反射光を受けた信号検出手段からの出力信号の状態を観測する。具体的には、図３における光検出手段３６０のＣ領域から得られた電気信号の出力ＶＣ、同様に該光検出手段３６０のＤ領域から得られた電気信号の出力ＶＤ、及び前記出力を用いた演算式である（２）式によって生成したトラッキング誤差信号の出力等、トラッキングサーボに関連する出力信号の状態を観測する。そして、前記各出力信号の状態の観測を行いながら、トラッキング誤差信号にオフセット出力が生じなくなるまで、もしくは出力ＶＣと出力ＶＤの値が等しくなるまで、前記アクチュエータを図３におけるＸ軸方向、すなわち光記録媒体の半径方向へ前記位置調整冶具を用いて微動させ、第二集光素子を配置することによって位置を決定する。本配置工程が終了した時点で、レーザ光源１１０に関する光学系において、第二集光素子４０を通過するレーザ光線の強度分布と回折格子３１４上の反射光スポット３１５の位置に関し、図７に示した状態が達成できるので、前記アクチュエータをハウジングに接着等で固定した後、前記位置調整冶具から開放する。
【００４４】
次に、プリズム１２０の透過作用を用いる光学系配置であるレーザ光源２１０について説明する。なお、先に説明した第二の取り付け工程と同工程にてレーザ光源２１０を取り付けるのが効率的で望ましいが、これに限ったものではない。レーザ光源１１０の時と同様、既に決定した厚さの薄板を所定の場所に配置した後に、ハウジングにレーザ光源２１０を取り付ける。この時点で、やはりレーザ光源１１０の時と同様に、先に説明した図６（ａ）の強度分布状態が達成できる。ただし、第二集光素子４０及びアパーチャ４１を有するアクチュエータは、先に説明したレーザ光源１１０に対して、配置工程において、既にハウジングに固定されているため、レーザ光源２１０取り付け後の該レーザ光源２１０側に対応した配置工程は行わない。しかしながら、先に説明したレーザ光源単体での検査工程にて、使用する薄板の厚みや配置場所の種類を増やしてレーザ光源１１０の場合よりも細かい分類を行えば、レーザ光源２１０に関する光学系についても、第二集光素子４０を通過するレーザ光線の強度分布と回折格子上の反射光スポット位置の両方が、前記該レーザ光源２１０側に対応した配置工程を行わなくとも良好となる状態を実現することは可能である。更に、レーザ光源２１０が対応すべき光記録媒体の記録密度や種類によっては、条件はさほど厳しくなくて済むため、前記レーザ光源単体での検査工程における分類を細かくする必要はなく、レーザ光源１１０の場合と同程度の分類を行えばよい場合もある。具体例を一つ示せば、対応すべき光記録媒体がＣＤの場合である。
【００４５】
以上、図１に示した光ピックアップ装置の製造方法について詳しい説明を行った。ここで、先のレーザ光源２１０と同様、レーザ光源１１０が対応すべき光記録媒体の具体例を一つ示せば、ＤＶＤの場合である。もちろん、先のレーザ光源２１０の場合と併せて、対応すべき光記録媒体がＤＶＤ／ＣＤの組み合わせに限定したものではないが、本光ピックアップ装置の製造方法において、前記配置工程は、該ピックアップ装置に搭載された複数のレーザ光源で、次の条件にあてはまるものと組み合わせて行うことを特徴とする。すなわち、該光ピックアップ装置が対応すべき各種光記録媒体の中で最も記録密度が高く記録再生を行うための条件が厳しい媒体に適した、波長の最も短いレーザ光源である。
【００４６】
また、前記配置工程は、プリズム１２０の反射作用を用いる光学系配置であるレーザ光源１１０と組み合わせて行っているが、プリズム１２０の透過作用を用いる光学系配置であるレーザ光源２１０と組み合わせて行っても構わない。その場合、該レーザ光源２１０が、光ピックアップ装置が対応すべき各種光記録媒体の中で最も記録密度が高く記録再生を行うための条件が厳しい媒体に適した、波長の最も短いレーザ光源であることが望ましい。
【００４７】
更に、本光ピックアップ装置を備えた光ディスク装置の実施例について説明する。複雑な特殊部品を用いないため小型化に適しており高い信頼性を有しつつ多数の光記録媒体に対応可能であるという本光ピックアップ装置の特徴を生かし、小型・薄型のパソコン用光ディスク装置のみならず、高い信頼性を有した小型の光ディスク装置内蔵型ビデオカメラやカーナビゲーションシステムを実現できる。また、さほど小型化の要求がない分野においても、その高い信頼性を生かした例えば光ディスクレコーダー装置が実現できる。
【００４８】
以上、発明の実施の形態として、二つのレーザ光源を備えた場合で説明を行ってきたが、例えば一つのレーザ光源のみを備えた場合にも本発明が適応できるのは明らかである。
【図面の簡単な説明】
【００４９】
【図１】本発明の光ピックアップ装置の実施形態に係る光学系構成を示す平面図である。
【図２】本発明の光ピックアップ装置の実施形態に係る光学系構成を示す側面図である。
【図３】本発明の光ピックアップ装置の実施形態に係る光学系構成に関し、回折格子と光検出手段について説明した図である。
【図４】本発明の光ピックアップ装置の実施形態に係る光学系構成に関し、レーザ素子と回折格子が位置ずれのない場合での動作について説明した図である。
【図５】本発明の光ピックアップ装置の実施形態に係る光学系構成に関し、レーザ素子と回折格子が位置ずれのある場合で本発明適応前の動作について説明した図である。
【図６】本発明の光ピックアップ装置の実施形態に係る光学系構成に関し、レーザ素子と回折格子が位置ずれのある場合でレーザ光源を傾けて配置した状態での動作について説明した図である。
【図７】本発明の光ピックアップ装置の実施形態に係る光学系構成に関し、レーザ素子と回折格子が位置ずれのある場合でレーザ光源を傾けて配置かつ第二集光素子を光記録媒体の半径方向へ微動させて配置した状態での動作について説明した図である。
【図８】（ａ）は従来の光ピックアップ装置に関し、レーザ光源と筐体の取り付け部を示した図であり、（ｂ）は本発明の光ピックアップ装置の実施形態に関し、レーザ光源と筐体の取り付け部を示した図である。
【図９】従来の光ピックアップ装置の光学系構成を示す平面図である。
【図１０】従来の光ピックアップ装置の光学系構成を示す側面図である。
【図１１】従来の光ピックアップ装置のレーザ光源７１０の構成を理解し易くするため、筐体の一部を切り欠いたレーザ光源７１０の斜視図である。
【図１２】従来の光ピックアップ装置における、レーザ素子及び対物レンズから出射される光強度分布を示す平面図である。
【符号の説明】
【００５０】
１１０，２１０，３１０，４１０，７１０，８１０    レーザ光源
１１１，２１１，３１１，４１１，７１１，８１１    レーザ素子
１１２，２１２，４１２    レーザ光源の中心線
１２０，４２０，７２０    プリズム
３０，７３０    第一集光素子
４０    第二集光素子
４１    アパーチャ
５０    光記録媒体
７０    ミラー
８０    ハウジング
６１，２６１，７６１，８６１    ホログラムガラス
６０，２６０，３６０，７６０，８６０    信号検出手段
３１４，７１４    回折格子
【図１】
2006344292.tif 000003
【図２】
2006344292.tif 000004
【図４】
2006344292.tif 000005
【図５】
2006344292.tif 000006
【図６】
2006344292.tif 000007
【図７】
2006344292.tif 000008
【図８】
2006344292.tif 000009
【図９】
2006344292.tif 000010
【図１０】
2006344292.tif 000011
【図１１】
2006344292.tif 000012
【図１２】
2006344292.tif 000013
【図３】
2006344292.tif 000014